(57)【特許請求の範囲】
【請求項１】
器内を高真空に維持させた上で、冷媒として臭化リチウム等の水溶液を充填してなる吸収式冷温水装置において、水溶液に冷媒を吸収させる吸収器の下流の配管に溶液循環ポンプを設け、溶液循環ポンプと吸収器との間の配管に、磁化水処理器具の介設、或いは、周囲に磁石、電磁用コイル等を周設、巻装する等して磁界Ａを形成配設し、水溶液を磁化水処理するように構成したことを特徴とする吸収式冷温水装置。
【発明の詳細な説明】
【０００１】
【発明が属する技術分野】
本発明は、吸収式冷温水装置に関するものである。
【従来の技術】
【０００２】
吸収式冷温水装置において、容器、配管を含む器機本体は、その構成部品の総てを溶接で組立てることにより器内を高真空に維持させた上で、冷媒として腐食性の強い臭化リチウム（ＬｉＢｒ）等の水溶液を充填しているが、器内が腐食し赤錆が生じると、その際の化学的反応に基づく水素ガスの発生によって、器内の真空が低下する。
【０００３】
器内の真空が低下した場合、冷房能力の低下をはじめとして、高温再生器過熱（ＧＰＬ作動）、晶析、等種々のトラブル現象を引き起こすものであるが、これ迄、器内に赤錆による水素ガスの発生を完全に抑え切ることができず、水素ガス発生による真空低下によって起きるトラブルを未然に防止することがきわめて困難であった。
【０００４】
【発明が解決しようとする課題】
本発明は、如上の従来のこの種吸収式冷温水装置における問題点に鑑みて、これを解決すべく案出したものであって、器内において赤錆を発生させず、水素ガス発生による真空低下を抑制することのできる新規構造の吸収式冷温水装置を提供することを目的とするものである。
【０００５】
【課題を解決するための手段】
上記目的を達成するための本発明の構成を実施の形態を用いて説明すると、本発明の吸収式冷温水装置は、器内を高真空に維持させた上で、冷媒として臭化リチウム等の水溶液を充填してなる吸収式冷温水装置において、配管中の任意部位に、磁化水処理器具の介設、或いは、配管の任意部位の周囲に磁石、電磁用コイル等を周設、巻装する等して磁界Ａを形成配設し、水溶液を磁化水処理するように構成したことを特徴とするものである。
【０００６】
【発明の実施の形態】
以下、本発明の実施の形態を実施例に基づき図面を参照して説明する。
【０００７】
【実施例】
図１は、本発明の一実施例を示す装置構成の説明図である。
【０００８】
図１において、先ずその吸収式冷温水装置における冷房サイクルを説明すると、高温再生器１をバーナ２で加熱すると、高温再生器１内の希溶液が加熱沸騰され、高温の冷媒蒸気と高温濃溶液が発生し、熱気泡ポンプの原理で揚液管３を上昇して、第一分離器４で冷媒蒸気と高温濃溶液に分離される。
【０００９】
分離された高温の冷媒蒸気は、低温再生器５のコイルの中を通って、その凝縮熱で中間濃溶液を加熱沸騰して、冷媒蒸気と低温濃溶液を発生させて、凝縮して冷媒水となり、凝縮器６に入る。
【００１０】
低温再生器５で発生した冷媒蒸気と低温濃溶液は、第二分離器で分離される。分離された冷媒蒸気は凝縮器６に入り、凝縮器コイル内を循環している冷却水により冷却され、凝縮して冷媒水となる。該冷媒水の一部は冷媒貯蔵室８に貯蔵され、冷媒比例弁９を経由して蒸発器１０に入る。又、残りの冷媒水は、冷媒管１１を通り、蒸発器１０に入る。
【００１１】
蒸発器１０に入った冷媒水は、蒸発器１０のコイル表面に均一に滴下されて、高真空状態の下で低温蒸発し、蒸発器１０のコイル内の循環水により蒸発潜熱を奪って冷水を作り出す。
【００１２】
一方、第一分離器４で分離された高温濃溶液は、高温濃溶液降り管１２で高温熱交換器１３に入り、稀溶液と熱交換して温度が低下する。更に、その出口部で高温濃溶液と稀溶液が混合し、中間濃溶液となり、中間濃溶液昇り管１４を昇って低温再生器５に入る。
【００１３】
低温再生器５において、前記の如く中間濃溶液は、低温再生器５のコイル内を通る高温の冷媒蒸気により加熱沸騰されて、第二分離器７で冷媒蒸気と低温濃溶液に分離される。
【００１４】
分離された低温濃溶液は、低温濃溶液降り管１５で低温熱交換器１６に入り、一方の稀溶液と熱交換して温度が低下した後、低温濃溶液昇り管１７で吸収器１８に入る。
【００１５】
低温濃溶液は、吸収器１８のコイル上に均一に滴下され、蒸発器１０で蒸発した冷媒蒸気を直ちに吸収して高真空状態を維持し、冷媒蒸気を吸収して稀溶液となる。吸収器１８において、濃溶液が冷媒蒸気を吸収する時に吸収熱が発生し、吸収器１８のコイル内にも冷却水を循環させて冷却する。
【００１６】
稀溶液は、溶液循環ポンプ１９で稀溶液降り管２０を通り、低温熱交換器１６で低温濃溶液と熱交換をする。該低温熱交換器１６の出口部で稀溶液は、二手に分かれ、一方は稀溶液バイパス管２１を通り、高温濃溶液と合流して中間濃溶液となり、中間濃溶液昇り管１４を上昇する。他方の稀溶液は、高温熱交換器１３で高温濃溶液と熱交換して昇温され、高温再生器戻り管２２で高温再生器１に入る。
【００１７】
高温再生器１に戻った稀溶液は、バーナ２で加熱され、二重効用サイクルを繰り返す。
【００１８】
次に、吸収式冷温水装置における暖房サイクルを説明すると、高温再生器１をバーナ２で加熱すると、高温再生器１内の希溶液が加熱沸騰され、高温の冷媒蒸気と高温濃溶液が発生し、熱気泡ポンプの原理で揚液管３を上昇する。
【００１９】
高温の冷媒蒸気は、第一分離器４より冷暖切替弁２３を通って、直接蒸気器１０に至り、蒸気器１０のコイル内を流れる循環水を高温の冷媒蒸気で直接加熱して、温水を作り出す。
【００２０】
冷媒蒸気は、凝縮して水となり、濃溶液と混合して稀溶液となる。該稀溶液は、溶液循環ポンプ１９により低温熱交換器１６、高温熱交換器１３を通り、高温再生器１に戻る。高温再生器に戻った稀溶液は、バーナ２で加熱され、上記した暖房サイクルを繰り返す。
【００２１】
上記の如き冷房サイクルと暖房サイクルを備える吸収式冷温水装置における稀釈液降り管２０をはじめとする稀釈液が循環して流れる配管、器機の任意部位に磁界Ａを形成配設して、稀釈液を磁化水処理するように構成する。磁界Ａを形成配設する手段としては、配管中に磁化水処理器具を介設するとか、配管の任意部位の周囲に磁石、電磁用コイル等を周設、巻装する等いずれであってもよく、その具体的構成を限定するものではない。
【００２２】
このように稀釈液を磁化水処理するように構成すると、配管内部に発生する赤錆をマグネタイト（Ｆｅ３Ｏ４磁鉄鉱）に変えて赤水の発生を抑止すると共に配管内壁にマグネタイト保護皮膜を形成して腐食を防止して、その防錆及び除錆作用によって、器内における赤錆の発生とこれに基づく水素ガス発生による真空低下を抑制することができる。
【００２３】
【発明の効果】
本発明は、以上説明した如くなり、器内において赤錆を発生させず、水素ガス発生による真空低下を抑制することができるので、この種吸収式冷温水装置のトラブルを未然に防止して、長期に亘って所期性能を保持させることができる優れた効果を奏する。
【図面の簡単な説明】
【図１】本発明の一実施例を示す装置構成の説明図である。
【符号の説明】
１    高温再生器
２    バーナ
３    揚液管
４    第一分離管
５    低温再生器
６    凝縮器
７    第二分離器
８    冷媒貯蔵器
９    冷媒比例弁
１０    蒸発器
１１    冷媒管
１２    高温濃溶液降り管
１３    高温熱交換器
１４    中間濃溶液昇り管
１５    低温濃溶液降り管
１６    低温熱交換器
１７    低温濃溶液昇り管
１８    吸収管
１９    溶液循環ポンプ
２０    稀溶液降り管
２１    稀溶液バイパス管
２２    高温再生器戻り管
Ａ    磁界
【図１】
0003590607.tif 000002